(57)【特許請求の範囲】
【請求項１】
フレキシブルプリント基板（ＦＰＣ）又はフレキシブルフラットケーブル（ＦＦＣ）と着脱自在に嵌合するコネクタであって、
前記ＦＰＣ又は前記ＦＦＣと接触する接触部、及び基板に接続する接続部を有する所要数のコンタクトと、該コンタクトが保持されるとともに前記ＦＰＣ又は前記ＦＦＣが挿入される嵌合口を有するハウジングと、前記嵌合口の反対側に前記コンタクトを押圧するスライダーとを備えるコネクタにおいて、
前記コンタクトは、
前記接触部である第１接触部と前記接続部である第１接続部との間に第１連結部を設けるとともに、前記第１接触部と前記第１連結部と前記第１接続部とを略クランク形状となる位置関係で配置し、さらに、前記第１連結部から、前記第１接触部とは反対側に延設され、前記第１接続部と対向して位置する第１押受部と、
前記第１連結部から、前記第１接続部とは反対側に延設される第１延設部とを設け、全体として略Ｈ字形状をなす第１コンタクトを含み、
前記ハウジングには、前記スライダーが装着される側から嵌合口側に向かう方向に延び、前記第１コンタクトの前記第１延設部の、前記第１接触部に対向する側の表面部分が、全長にわたって露出した状態で前記第１コンタクトを保持する第１挿入溝、及び前記第１コンタクト以外の他のコンタクトが存在する場合には、当該他のコンタクトを保持する他の挿入溝が設けられ、
前記スライダーは、前記ハウジングの、前記嵌合口とは反対側の位置で、回転軸線周りに回転するように構成され、
前記第１コンタクトの前記第１押受部の先端側部分、及び前記所要数のコンタクトのうち、前記第１コンタクト以外の他のコンタクトに押受部が存在する場合には、当該押受部の先端側部分及び前記第１押受部の先端側部分の双方が貫通可能に係合する係止孔を形成して、隣接する前記コンタクト間に設けた仕切り壁と、
前記所要数のコンタクトの整列方向に連設し、前記第１コンタクトの前記第１押受部、及び前記所要数のコンタクトのうち、前記第１コンタクト以外の他のコンタクトに押受部が存在する場合には、当該押受部及び前記第１押受部が前記基板から離れる方向に押圧可能な、前記押受部及び前記第１押受部の隣接位置に配設される、長軸及び短軸といった異なる寸法をもつ断面形状をした押圧部とを有し、
該押圧部は、前記断面形状を利用して前記所要数のコンタクトのうち、第１押受部を含む押受部を有する前記コンタクトの全ての押受部を押圧し、かつ、少なくとも前記長軸の両端面の、前記スライダーの回転可動範囲で前記コンタクトに接触する部分が、なだらかな曲率表面を含むことを特徴とするコネクタ。
【請求項２】
前記コンタクトは、前記第１コンタクトと、該第１コンタクト以外の他のコンタクトである第２コンタクトとを備え、
これら第１及び第２コンタクトは、ハウジングへの挿入方向を互い違いに変えて千鳥に配置され、
前記ハウジングに設けられた前記他の挿入溝が、嵌合口側から前記スライダーが装着される側に向かう方向に延びる第２挿入溝であって、前記第２コンタクトは前記第２挿入溝に挿入され、
前記第２コンタクトには、前記接触部である第２接触部と前記接続部である第２接続部との間に第２連結部を設けるとともに、前記第２接触部と前記第２連結部と前記第２接続部とを略コ字状となる位置関係で配置し、さらに、前記第２連結部から、前記第２接触部と反対側に延設された第２押受部を設け、前記第２コンタクトは全体として略ｈ字形状をなし、
前記スライダーは、前記第１及び第２コンタクトの前記第１及び第２押受部の先端側部分の双方が貫通可能に係合する係止孔を形成して、隣接するコンタクト間に設けた仕切り壁と、
前記所要数のコンタクトの整列方向に連設し、前記第１コンタクトの前記第１押受部及び前記第２コンタクトの前記第２押受部が前記基板から離れる方向に押圧可能な、前記第１押受部及び前記第２押受部の隣接位置に配設される前記押圧部と、を有し、
該押圧部は、少なくとも前記長軸の両端面の、前記スライダーの回転可動範囲で前記第１及び第２コンタクトに接触する部分が、なだらかな曲率表面を含む請求項１に記載のコネクタ。
【請求項３】
前記第１挿入溝は、前記ハウジングを貫通しており、前記嵌合口側より前記第１延設部の全長が視認できるように構成してなる請求項１又は２に記載のコネクタ。
【請求項４】
前記スライダーの押圧部が少なくとも接触移動する、前記第２コンタクトの第２押受部の部分を、フラットに形成してなる請求項２に記載のコネクタ。
【請求項５】
前記第２コンタクトは、前記第２連結部から前記第２接続部と反対方向に延設される第２延設部を有し、前記スライダーの押圧部が少なくとも接触移動する、前記第２コンタクトの第２押受部の部分及び前記第２延設部の部分を、フラットに形成してなる請求項２に記載のコネクタ。
【請求項６】
前記第２挿入溝は、前記ハウジングを貫通している請求項２、４又は５に記載のコネクタ。
【請求項７】
前記第２コンタクトの前記第２接続部と前記第２連結部との間に、前記第２接触部と向き合うように前記ＦＰＣ又は前記ＦＦＣと接触する第４接触部が設けられている請求項２又は請求項４〜６のいずれか１項に記載のコネクタ。
【請求項８】
前記第２コンタクトは、前記第２押受部に押圧可能な隣接位置で前記スライダーの前記押圧部を回転させるときの前記スライダーの反発力に起因して、前記スライダーの中央部が嵌合口とは反対側の方向に膨れ移動するのを防止するための膨れ防止手段を有する請求項２又は請求項４〜７のいずれか１項に記載のコネクタ。
【請求項９】
前記第２コンタクトの前記膨れ防止手段は、第２押受部の先端側部分に設けた第２突出部である請求項８に記載のコネクタ。
【請求項１０】
前記第１コンタクトの前記第１延設部の先端側部分には、前記第１接触部と向き合うように、前記ＦＰＣ又は前記ＦＦＣと接触する第３接触部が設けられる請求項１〜９のいずれか１項に記載のコネクタ。
【請求項１１】
前記スライダーの押圧部が少なくとも接触移動する、前記第１コンタクトの第１押受部の部分及び前記第１接続部の部分を、ともにフラットに形成する請求項１〜１０のいずれか１項に記載のコネクタ。
【請求項１２】
前記第１コンタクトは、前記第１押受部及び前記第１接続部との間で前記スライダーの前記押圧部を回転させるときの前記スライダーの反発力に起因して、前記スライダーの中央部が嵌合口とは反対側の方向に膨れ移動するのを防止するための膨れ防止手段を有する請求項１〜１１のいずれか１項に記載のコネクタ。
【請求項１３】
前記第１コンタクトの前記膨れ防止手段は、第１押受部の先端側部分に設けた第１突出部である請求項１２に記載のコネクタ。
【請求項１４】
前記ハウジングは、前記スライダーの押圧部によって、前記コンタクトの押受部が押圧されて変位する際、前記押受部の変位を妨げることのないよう、全てのコンタクトに対応する、前記ハウジングを切り欠いた一つの切欠部を有する請求項１〜１３のいずれか１項に記載のコネクタ。
【発明の詳細な説明】
【技術分野】
【０００１】
本発明は、携帯電話やノートパソコンやデジタルカメラ等に使用されるコネクタに関するもので、特にフレキシブルプリント基板（以下「ＦＰＣ」という）やフレキシブルフラットケーブル（以下「ＦＦＣ」という）にコンタクトを押し付ける機構に関するものである。
【背景技術】
【０００２】
携帯電話やＣＣＤカメラ等に使用されるコネクタは、狭ピッチで極薄（所謂軽薄短小）であり、主にハウジングとコンタクトとスライダーとから構成され、ハウジングとスライダーとでＦＰＣ又はＦＦＣを挟持する構造である。ハウジングとスライダーとでＦＰＣ又はＦＦＣを保持する方法には、色々考えられるが、中でもハウジングにＦＰＣ又はＦＦＣを挿入した後にスライダーを挿入しＦＰＣ又はＦＦＣをコンタクトに押しつける構造のものが多い。
【０００３】
ハウジングには、コンタクトが挿入される所要数の挿入孔が設けられるとともにＦＰＣ又はＦＦＣが挿入される嵌合口が設けられている。
【０００４】
コンタクト６４は図８のように略コ字形状をしており、主にＦＰＣ４０又はＦＦＣと接触する接触部２２と基板等に接続する接続部２４とハウジング６２に固定される固定部４２とから構成されている。このコンタクト６４は、圧入等によってハウジング６２に固定されている。
【０００５】
例えば、スライダー６６は、図８のように略楔形状をしており、所要数のコンタクト６４が配置されたハウジング６２に、ＦＰＣ４０又はＦＦＣを挿入した後に、前記スライダー６６を挿入する。このようなスライダー６６は、主にハウジング６２に装着される装着部７４とＦＰＣ４０又はＦＦＣをコンタクト６４の接触部２２に押圧する押圧部６８とを備えている。ＦＰＣ４０又はＦＦＣが挿入される以前は、スライダー６６はハウジング６２に仮装着された状態になっており、ＦＰＣ４０又はＦＦＣが挿入された後にスライダー６６を挿入すると、図８（Ｂ）のようにＦＰＣ４０又はＦＦＣと平行に前記スライダー６６の押圧部６８が挿入され、コンタクト６４の接触部２２にＦＰＣ４０又はＦＦＣが押圧されるようになる。
【発明の概要】
【発明が解決しようとする課題】
【０００６】
近年、この種のコネクタ６０には、より低背位化の要求が強くなってきているが、上述した構造のコネクタ６０では、図８（Ｂ）のように６層（ハウジング６２の厚み方向両側の壁・コンタクト６４の接触部２２と受け部７０の厚さ・スライダー６６の押圧部６８の厚さ・ＦＰＣ４０又はＦＦＣの厚さ）構造になっている。低背位化を考えると、コンタクト６４の受け部７０を省略し、５層（ハウジング６２の厚み方向両側の壁・コンタクト６４の接触部２２の厚さ・スライダー６６の押圧部６８の厚さ・ＦＰＣ４０又はＦＦＣの厚さ）構造にすることはできるが、各部位の強度や仕様等からこれ以上低背位化が出来ないといった解決すべき課題があった。
【０００７】
また、上述のような構造のコネクタ６０では、ハウジング６２の嵌合口１８側のみで、ＦＰＣ４０又はＦＦＣの挿入とコンタクト６４の接触部２２をＦＰＣ４０又はＦＦＣに押しつける動作を行っているので、コネクタが小型化すればするほど作業性が悪いと言った問題点もある。
【０００８】
さらにまた、コネクタ６０のピッチの狭小化が要求された場合、従来の構造のようにコンタクト６４を一方向から挿入したのでは、コネクタの狭小化にも限界があった。
【０００９】
本発明は、このような従来の問題点に鑑みてなされたもので、各部位の強度や仕様等を損なうことなく、スライダーを動作させてＦＰＣ又はＦＦＣに対し確実に第１コンタクトの第１接触部が押圧接触するように構成することができ、作業性がよく、ピッチの狭小化や低背位化が可能なコネクタを提供せんとするものである。
【課題を解決するための手段】
【００１０】
上記目的を達成するため、本発明の要旨構成は以下の通りである。
（１）フレキシブルプリント基板（ＦＰＣ）又はフレキシブルフラットケーブル（ＦＦＣ）と着脱自在に嵌合するコネクタであって、前記ＦＰＣ又は前記ＦＦＣと接触する接触部、及び基板に接続する接続部を有する所要数のコンタクトと、該コンタクトが保持されるとともに前記ＦＰＣ又は前記ＦＦＣが挿入される嵌合口を有するハウジングと、前記嵌合口の反対側に前記コンタクトを押圧するスライダーとを備えるコネクタにおいて、前記コンタクトは、前記接触部である第１接触部と前記接続部である第１接続部との間に第１連結部を設けるとともに、前記第１接触部と前記第１連結部と前記第１接続部とを略クランク形状となる位置関係で配置し、さらに、前記第１連結部から、前記第１接触部とは反対側に延設され、前記第１接続部と対向して位置する第１押受部と、前記第１連結部から、前記第１接続部とは反対側に延設される第１延設部とを設け、全体として略Ｈ字形状をなす第１コンタクトを含み、前記ハウジングには、前記スライダーが装着される側から嵌合口側に向かう方向に延び、前記第１コンタクトの前記第１延設部の、前記第１接触部に対向する側の表面部分が、全長にわたって露出した状態で前記第１コンタクトを保持する第１挿入溝、及び前記第１コンタクト以外の他のコンタクトが存在する場合には、当該他のコンタクトを保持する他の挿入溝が設けられ、前記スライダーは、前記ハウジングの、前記嵌合口とは反対側の位置で、回転軸線周りに回転するように構成され、前記第１コンタクトの前記第１押受部の先端側部分、及び前記所要数のコンタクトのうち、前記第１コンタクト以外の他のコンタクトに押受部が存在する場合には、当該押受部の先端側部分及び前記第１押受部の先端側部分の双方が貫通可能に係合する係止孔を形成して、隣接する前記コンタクト間に設けた仕切り壁と、前記所要数のコンタクトの整列方向に連設し、前記第１コンタクトの前記第１押受部、及び前記所要数のコンタクトのうち、前記第１コンタクト以外の他のコンタクトに押受部が存在する場合には、当該押受部及び前記第１押受部が前記基板から離れる方向に押圧可能な、前記押受部及び前記第１押受部の隣接位置に配設される、長軸及び短軸といった異なる寸法をもつ断面形状をした押圧部とを有し、該押圧部は、前記断面形状を利用して前記所要数のコンタクトのうち、第１押受部を含む押受部を有する前記コンタクトの全ての押受部を押圧し、かつ、少なくとも前記長軸の両端面の、前記スライダーの回転可動範囲で前記コンタクトに接触する部分が、なだらかな曲率表面を含むことを特徴とするコネクタ。
【００１１】
（２）前記コンタクトは、前記第１コンタクトと、該第１コンタクト以外の他のコンタクトである第２コンタクトとを備え、これら第１及び第２コンタクトは、ハウジングへの挿入方向を互い違いに変えて千鳥に配置され、前記ハウジングに設けられた前記他の挿入溝が、嵌合口側から前記スライダーが装着される側に向かう方向に延びる第２挿入溝であって、前記第２コンタクトは前記第２挿入溝に挿入され、前記第２コンタクトには、前記接触部である第２接触部と前記接続部である第２接続部との間に第２連結部を設けるとともに、前記第２接触部と前記第２連結部と前記第２接続部とを略コ字状となる位置関係で配置し、さらに、前記第２連結部から、前記第２接触部と反対側に延設された第２押受部を設け、前記第２コンタクトは全体として略ｈ字形状をなし、前記スライダーは、前記第１及び第２コンタクトの前記第１及び第２押受部の先端側部分の双方が貫通可能に係合する係止孔を形成して、隣接するコンタクト間に設けた仕切り壁と、前記所要数のコンタクトの整列方向に連設し、前記第１コンタクトの前記第１押受部及び前記第２コンタクトの前記第２押受部が前記基板から離れる方向に押圧可能な、前記第１押受部及び前記第２押受部の隣接位置に配設される前記押圧部と、を有し、該押圧部は、少なくとも前記長軸の両端面の、前記スライダーの回転可動範囲で前記第１及び第２コンタクトに接触する部分が、なだらかな曲率表面を含む上記（１）に記載のコネクタ。
【００１２】
（３）前記第１挿入溝は、前記ハウジングを貫通しており、前記嵌合口側より前記第１延設部の全長が視認できるように構成してなる上記（１）又は（２）に記載のコネクタ。
【００１３】
（４）前記スライダーの押圧部が少なくとも接触移動する、前記第２コンタクトの第２押受部の部分を、フラットに形成してなる上記（２）に記載のコネクタ。
【００１４】
（５）前記第２コンタクトは、前記第２連結部から前記第２接続部と反対方向に延設される第２延設部を有し、前記スライダーの押圧部が少なくとも接触移動する、前記第２コンタクトの第２押受部の部分及び前記第２延設部の部分を、フラットに形成してなる上記（２）に記載のコネクタ。
【００１５】
（６）前記第２挿入溝は、前記ハウジングを貫通している上記（２）、（４）又は（５）に記載のコネクタ。
【００１６】
（７）前記第２コンタクトの前記第２接続部と前記第２連結部との間に、前記第２接触部と向き合うように前記ＦＰＣ又は前記ＦＦＣと接触する第４接触部が設けられている上記（２）又は（４）〜（６）のいずれか１つに記載のコネクタ。
【００１７】
（８）前記第２コンタクトは、前記第２押受部に押圧可能な隣接位置で前記スライダーの前記押圧部を回転させるときの前記スライダーの反発力に起因して、前記スライダーの中央部が嵌合口とは反対側の方向に膨れ移動するのを防止するための膨れ防止手段を有する上記（２）又は（４）〜（７）のいずれか１つに記載のコネクタ。
【００１８】
（９）前記第２コンタクトの前記膨れ防止手段は、第２押受部の先端側部分に設けた第２突出部である上記（８）に記載のコネクタ。
【００２０】
（１０）前記第１コンタクトの前記第１延設部の先端側部分には、前記第１接触部と向き合うように、前記ＦＰＣ又は前記ＦＦＣと接触する第３接触部が設けられる上記（１）〜（９）のいずれか１つに記載のコネクタ。
【００２１】
（１１）前記スライダーの押圧部が少なくとも接触移動する、前記第１コンタクトの第１押受部の部分及び前記第１接続部の部分を、ともにフラットに形成する上記（１）〜（１０）のいずれか１つに記載のコネクタ。
【００２２】
（１２）前記第１コンタクトは、前記第１押受部及び前記第１接続部との間で前記スライダーの前記押圧部を回転させるときの前記スライダーの反発力に起因して、前記スライダーの中央部が嵌合口とは反対側の方向に膨れ移動するのを防止するための膨れ防止手段を有する上記（１）〜（１１）のいずれか１つに記載のコネクタ。
【００２３】
（１３）前記第１コンタクトの前記膨れ防止手段は、第１押受部の先端側部分に設けた第１突出部である上記（１２）に記載のコネクタ。
【００２５】
（１４）前記ハウジングは、前記スライダーの押圧部によって、前記コンタクトの押受部が押圧されて変位する際、前記押受部の変位を妨げることのないよう、全てのコンタクトに対応する、前記ハウジングを切り欠いた一つの切欠部を有する上記（１）〜（１３）のいずれか１つに記載のコネクタ。
【発明の効果】
【００２６】
本発明は、前記ＦＰＣ又はＦＦＣが前記ハウジングの嵌合口内に挿入された後に、前記スライダーの回転に伴い、前記押圧部が、前記第１押受部を含む押受部を有する前記コンタクトの全ての押受部を押し動かすことで、前記第１接触部２２が前記ＦＰＣ４０又はＦＦＣ側に押圧され、これによって、次のような優れた効果が得られる。
【００２７】
（１）前記スライダーを前記ハウジングの前記第１コンタクトの第１接続部側で回転させることで、前記第１のコンタクトの第１接触部を前記ＦＰＣ又は前記ＦＦＣに接触させる構造にしているので、前記ハウジングの嵌合口に前記スライダーを挿入することがなく、前記スライダーの厚み分だけ前記コネクタの低背位化が可能になった。
【００２８】
（２）２種類の前記第１及び第２コンタクトを準備し、前記第１のコンタクトを前記ハウジングの嵌合口とは反対側から挿入し、前記第２コンタクトを前記ハウジングの嵌合口側から挿入し、前記スライダーを前記第１コンタクトの第１押受部と第１接続部が位置する側及び前記第２コンタクトの第２押受部が位置する側で回転させることで、容易に狭小化と低背位化が可能になる。
【００２９】
（３）前記ＦＰＣ又は前記ＦＦＣが前記ハウジングの嵌合口内に挿入された後に、前記スライダーの回転に伴い、前記第１押受部を前記押圧部によって押圧することで、前記第１接触部が前記ＦＰＣ又は前記ＦＦＣに押圧接触するので、確実に前記第１コンタクトの前記第１接触部と前記ＦＰＣ又は前記ＦＦＣとを電気接続することができる。
【００３０】
（４）前記ＦＰＣ又は前記ＦＦＣが前記ハウジングの嵌合口内に挿入された後に、前記スライダーの回転に伴い、前記第２押受部を前記押圧部によって押圧することで、前記第２接触部が前記ＦＰＣ又は前記ＦＦＣに押圧接触するので、確実に前記第２コンタクトの第２接触部とＦＰＣ又は前記ＦＦＣとを電気接続することができる。
【００３１】
（５）前記第１コンタクトの第１押受部、又は第１及び第２コンタクトの第１及び第２押受部の先端側部分に膨れ防止手段（第１押受部には第１突出部、第２押受部には第２突出部）を設けているので、前記スライダーの回転に伴い、前記押圧部を前記第１及び第２コンタクトの第１及び第２押受部に作用させるとき、前記スライダーの回転に対する反発力が強くても、前記スライダーの中央部が矢印「ハ」方向に膨れてしまうことを防ぐことが出来る。
【００３２】
（６）前記スライダーの押圧部の形状を、長軸及び短軸といった異なる寸法をもつ断面形状にしているので、前記スライダーを回転した際に、確実に前記第１及び第２コンタクトの第１及び第２押受部を押圧し、前記第１及び第２接触部を前記ＦＰＣ又は前記ＦＦＣに容易に接触させることができる。
【００３３】
（７）前記スライダーには所要数の前記第１及び第２コンタクトの第１及び第２突出部と係合する係止孔を設け、該係止孔を別個独立に形成しているので、前記スライダーを強固で、確実に回転することができ、かつ、変形を生じない。
【００３４】
（８）前記第１コンタクトの前記第１連結部から前記第１接触部と同じ方向に延設した第１延設部を設け、該第１延設部の先端部に前記ＦＰＣ又は前記ＦＦＣと接触する第３接触部をさらに設けると、前記ＦＰＣ又は前記ＦＦＣの挿入方向に対して、直角方向両側に第１及び第３接触部を設けることになり、前記ＦＰＣ又は前記ＦＦＣを第１及び第３接触部で挟持することになるので、より確実に前記ＦＰＣ又は前記ＦＦＣと接触できるようになる。
【００３５】
（９）前記第２コンタクトの前記第２接続部と前記第２連結部との間に、前記第２接触部と向き合うように前記ＦＰＣ又は前記ＦＦＣと接触する第４接触部をさらに設けると、前記ＦＰＣ又は前記ＦＦＣの挿入方向に対して、直角方向両側に第２及び第４接触部を設けることになり、前記ＦＰＣ又は前記ＦＦＣを第２及び第４接触部で挟持することになるので、より確実に前記ＦＰＣ又は前記ＦＦＣと接触できるようになる。
【図面の簡単な説明】
【００３６】
【図１】（Ａ）スライダーが開いた状態の嵌合口側からみた本発明のコネクタの斜視図である。（Ｂ）スライダーが開いた状態の第１接続部側からみた図１（Ａ）に示すコネクタの斜視図である。
【図２】（Ａ）スライダーが開いた状態の、ある第１コンタクトの部分で、第１コンタクトの延在方向に切断した本発明のコネクタの斜視図である。（Ｂ）ＦＰＣが挿入されスライダーが閉じた状態の、ある第１コンタクトの部分で、第１コンタクトの延在方向に切断した本発明のコネクタの斜視図である。
【図３】スライダーの斜視図である。
【図４】２つの接触部を持った第１コンタクトの斜視図である。
【図５】本発明の他のコネクタの斜視図である。
【図６】（Ａ）スライダーが開いた状態の、ある第２コンタクトの部分で、第２コンタクトの延在方向に切断した本発明のコネクタの斜視図である。（Ｂ）ＦＰＣが挿入されスライダーが閉じた状態の、ある第２コンタクトの部分で、第２コンタクトの延在方向に切断した本発明のコネクタの斜視図である。
【図７】ＦＰＣが挿入される前の嵌合口側からみた従来のコネクタの斜視図である。
【図８】（Ａ）ＦＰＣが挿入される前の、あるコンタクトの部分でコンタクトの延在方向に切断した従来のコネクタの断面図である。（Ｂ）ＦＰＣが挿入されスライダーが挿入された状態の、あるコンタクトの部分でコンタクトの延在方向に切断した従来のコネクタの断面図である。
【発明を実施するための形態】
【００３７】
図１から図４に基づいて、本発明のコネクタの一実施例について説明する。
図１（Ａ）、（Ｂ）は、本発明のコネクタを示したものであって、図１（Ａ）はスライダーが開いた状態の嵌合口側から見た場合、図１（Ｂ）はスライダーが開いた状態の第１接続部側から見た場合を示し、また、図２（Ａ）、（Ｂ）は、図１（Ａ）に示すコネクタをあるコンタクト部分で切断したときの斜視図であって、図２（Ａ）はスライダーが開いた状態、図２（Ｂ）はＦＰＣが挿入されスライダーが閉じた状態を示し、さらに、図３はスライダーの斜視図である。図４は２つの接触部を持った第１コンタクトの斜視図である。
【００３８】
本発明のコネクタ１０は、主にハウジング１２とコンタクト１４とスライダー１６とを備えている。
【００３９】
図に基づいて本発明のコネクタの構成部品について説明する。
まず、本発明のポイントである第１コンタクト１４について説明する。この第１コンタクトは金属製であり、公知技術のプレス加工によって製作されている。前記第１コンタクト１４の材質としては、バネ性や導電性などが要求されるので、黄銅やベリリウム銅やリン青銅等を挙げることができる。
【００４０】
前記第１コンタクト１４は、図４に示すように全体として略Ｈ字形状をしており、主に前記ＦＰＣ４０又は前記ＦＦＣと接触する第１接触部２２ａと、基板に接続する第１接続部２４ａと、ハウジング１２に固定する第１固定部４２ａと、前記第１接触部２２ａと前記第１接続部２４ａとの間に設けられた第１連結部３４ａと、第１連結部３４ａから、前記第１接触部２２ａとは反対側に延設され、前記第１接続部２４ａと対向して位置する前記第１押受部２０ａと、前記第１連結部３４ａから、前記第１接続部２４ａとは反対側に延設され、前記第１接触部２２ａと対向して位置する第１延設部２２ｅとを備え、さらに、該第１延設部２２ｅに前記ＦＰＣ４０又は前記ＦＦＣと接触する第３接触部２２ｃとを備えている。前記第１接触部２２ａと前記第１連結部３４ａと前記第１接続部２４ａとは、略クランク形状となる位置関係で配置されている。前記第１及び第３接触部２２ａ、２２ｃは、前記ＦＰＣ４０又は前記ＦＦＣと接触し易いように凸部形状にしており、前記第１接続部２４ａは本実施例では図１のように表面実装タイプ（ＳＭＴ）にしているが、ディップタイプでも良い。即ち、２つの前記第１及び第３接触部２２ａ、２２ｃを設けて、前記ＦＰＣ４０又は前記ＦＦＣを挟持するようにする。前記ＦＰＣ４０又は前記ＦＦＣの挿入方向に対して、直角方向両側に前記第１及び第３接触部２２ａ、２２ｃを設けることで、前記ＦＰＣ４０又は前記ＦＦＣを２つの前記第１及び第３接触部２２ａ、２２ｃで挟持することになり、確実に前記ＦＰＣ４０又は前記ＦＦＣと接触できるようになる。
【００４１】
前記第１連結部３４ａと前記第１押受部２０ａとは、前記ＦＰＣ４０又は前記ＦＦＣが挿入された際に、次のような作用を果たすための部分である。前記ＦＰＣ４０又は前記ＦＦＣが前記ハウジング１２の嵌合口１８内に挿入された後に、前記スライダー１６の所定の回転軸線Ｘ周りの回転、例えば図３に示す実施形態においては軸２８周りの回転によって、押圧部３６が、前記第１コンタクト１４の第１押受部２０ａに作用して、前記第１押受部２０ａに押圧することで、前記第１接触部２２ａを前記ＦＰＣ４０又は前記ＦＦＣ側に変位させ、これにより、前記第１接触部２２ａが前記ＦＰＣ４０又は前記ＦＦＣに押圧接触する構成を可能にしている。前記第１連結部３４ａと前記第１押受部２０ａの大きさや形状は、このような作用を果たすために、適宜設計されている。
【００４２】
また、前記第１コンタクト１４の第１押受部２０ａの先端側部分に膨れ防止手段を設けることが好ましい。前記スライダー１６の回転によって、押圧部３６を前記第１コンタクト１４の第１押受部２０ａに作用させるとき、前記スライダー１６の回転に対する反発力が強い為に、スライダー１６の中央部が図６（Ｂ）の矢印「ハ」方向に膨れる傾向があるが、前記膨れ防止手段を設けることにより、かかる傾向を防ぐようにすることができるためである。さらに、膨れ防止手段として前記第１押受部２０ａの先端側部分に第１突出部２６を設けることが好適である。前記第１突出部２６の大きさは、上記役割を果たすことが出来れば如何なる大きさでもよく、前記スライダー１６の押圧部３６が引っ掛かる程度に適宜設計する。
【００４３】
次に、本発明のもう一つのポイントであるスライダーについて説明する。このスライダーは電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。該スライダー１６は、所定の回転軸線Ｘを中心として回転するように構成されている。例えばスライダー１６は、図３に示す実施形態においては、主に前記ハウジング１２の嵌合口１８とは反対側に回転可能に装着される軸２８部分と、前記第１コンタクト１４の第１押受部２０ａを押圧する押圧部３６と、前記第１コンタクト１４の第１押受部２０ａの先端側部分が貫通可能に係合する係止孔３０とを備えている。前記軸２８は、スライダー１６を回転させるための軸であり、前記ハウジング１２の長手方向（コンタクトの整列方向）両側に前記スライダー１６が回転可能に適宜装着されている。また、スライダー１６の長手方向（コンタクトの整列方向）両側には、前記第１コンタクト１４の第１押受部２０ａを押圧した際にスライダー１６が高さ（図面の上）方向に持ち上がらないようにするために前記ハウジング１２と係合するロック部（図示せず）が設けられている。ロック部の形状や大きさ等は、ハウジング１２に係合できれば如何なるものでもよく、上述の役割やコネクタの大きさや強度等を考慮して適宜設計する。
【００４４】
前記押圧部３６は、前記第１コンタクト１４の第１押受部２０ａが前記基板から離れる方向に押圧接触可能な、前記第１押受部２０ａの隣接位置に配設され、ＦＰＣ等との電気接続時に第１押受部２０ａに押し付けられる部分であり、その形状としては、長軸及び短軸といった異なる寸法をもつ断面形状を有している。この断面形状としては、押圧部３６の少なくとも前記長軸の両端面の、前記スライダーの回転可動範囲で前記コンタクトに接触する部分が、なだらかな曲率表面を含んでいればよく、例えば細長形状や、楕円形状を含んだ長円形状などが挙げられる。押圧部３６を前記断面形状にすることによって、図２（Ａ）のように前記スライダー１６を矢印「イ」方向に回転させ、押圧部３６を前記第１コンタクト１４の第１押受部２０ａに作用させ、前記押圧部３６の大きさ（寸法）の変化により前記第１コンタクト１４の第１押受部２０ａを、前記基板から離れる方向に押圧し、前記第１コンタクト１４の前記第１接触部２２ａを、前記ＦＰＣ４０又は前記ＦＦＣ側に変位させることで、前記第１コンタクト１４の前記第１接触部２２ａを前記ＦＰＣ４０又は前記ＦＦＣに押圧接触させている。前記押圧部３６の形状としては、前記スライダー１６の回転に伴い、前記第１コンタクト１４の前記第１押受部２０ａに作用して、長軸と短軸といった異なる寸法（大きさの違い）により前記第１コンタクト１４の第１押受部２０ａを、基板から離れる方向に押圧する構成であれば、如何なるものでもよい。
【００４５】
また、前記スライダー１６を回転した際に、前記スライダー１６の回転に対する反発力が強く、前記スライダー１６の中央部が図６（Ｂ）の矢印「ハ」方向に膨れてしまうことを防ぐようにする為に、前記コンタクト１４の第１突出部２６が係合する前記係止孔３０が別個独立に設けられている。前記係止孔３０を別個独立に設けることで、前記スライダー１６の強度アップや回転時の変形を防止している。
【００４６】
最後に、ハウジング１２について説明する。このハウジングは電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。前記ハウジング１２には、所要数の前記第１コンタクト１４が装着される挿入溝３８が設けられており、圧入や引っ掛け（ランス）や溶着等によって固定されている。
【００４７】
また、長手方向両側には、前記スライダー１６の軸２８が回転可能に装着される軸受部が設けられている。この軸受部の形状や大きさは、前記スライダー１６の軸２８が回転できるように装着されていれば如何なるものでもよく、この役割や前記ハウジング１２の強度や大きさ等を考慮して適宜設計する。なお、長手方向両側には、前記スライダー１６のロック部に対応した位置に係止部（図示せず）が設けられている。
【００４８】
図５及び図６に基づいて、本発明の別の実施例について説明する。主な構成部品は上述したものと同様で、ハウジング１２１とコンタクト１４、１４２とスライダー１６１とを備えている。本実施例の特徴は、２種類のコンタクト１４、１４２をハウジング１２１への挿入方向を変えて千鳥に配列している点にあり、挿入方向を変えて千鳥に配列することによってピッチの狭小化と低背位化に対応させたものである。前記ハウジング１２１と前記スライダー１６１は上述したものと同様であり、前記ハウジング１２１には、所要数の前記第２コンタクト１４２が装着される第２挿入溝が設けられており、前記スライダー１６１には、前記第２コンタクト１４２の後述する第２押受部の先端側部分が貫通可能に係合する係止孔３０を備えている。また、２種類のコンタクト１４、１４２のうち、一方のコンタクトである前記第１コンタクト１４も上述した図４のものと同様であり、説明を省略する。図５は別のコネクタの斜視図であり、図６（Ａ）はスライダーが開いた状態の、ある第２コンタクトの部分で、第２コンタクトの延在方向に切断した本発明のコネクタの斜視図であり、図６（Ｂ）はＦＰＣが挿入されスライダーが閉じた状態の、ある第２コンタクトの部分で延在方向に切断した本発明のコネクタの斜視図である。
【００４９】
２種類のコンタクト１４、１４２のうち、もう一方のコンタクトである第２コンタクト１４２について説明する。第２コンタクト１４２も金属製であり、公知技術のプレス加工によって製作されている。材質は、第１コンタクト１４と同様である。
【００５０】
前記第２コンタクト１４２は、略ｈ字形状と略Ｈ字形状の２つのタイプがあり、略ｈ字形状のものは、主にＦＰＣ４０又はＦＦＣと接触する第２接触部２２ｂと、基板に接続する第２接続部２４ｂと、ハウジング１２１に固定する第２固定部（図示せず）と、前記第２接触部２２ｂと前記第２接続部２４ｂとの間に設けられた第２連結部３４ｂと、前記第２連結部３４ｂから、前記第２接触部２２ｂと反対側に延設された第２押受部２０ｂを備えている。前記第２接触部２２ｂと前記第２連結部３４ｂと前記第２接続部２４ｂとは、略コ字形状となる位置関係で配置されている。略Ｈ字形状のものは、さらに、前記第２連結部３４ｂから、前記第２接続部２４ｂと反対方向であって、第２押受部２０ｂと同じ向きに延設した第２延設部４４が設けられている。前記第２接触部２２ｂは、ＦＰＣ４０又はＦＦＣと接触し易いように凸部形状にしており、前記第２接続部２４ｂは本実施例では図５のように表面実装タイプ（ＳＭＴ）にしているが、ディップタイプでも良い。
【００５１】
前記第２連結部３４ｂと前記第２押受部２０ｂとは、前記第１コンタクト１４と同様に、前記ＦＰＣ４０又は前記ＦＦＣが挿入された際に、前記スライダー１６１の回転に伴い、押圧部３６が前記第２コンタクト１４２の第２押受部２０ｂに作用して、前記第２押受部２０ｂが押圧部３６によって押圧されることで、前記第２接触部２２ｂが前記ＦＰＣ４０又は前記ＦＦＣ側に変位して、前記第２接触部２２ｂが前記ＦＰＣ４０又は前記ＦＦＣに押圧接触するように構成されている。前記第２連結部３４ｂと前記第２押受部２０ｂの大きさや形状は、このような作用を果たすために、適宜設計されている。
【００５２】
また、前記第２コンタクト１４２の前記第２押受部２０ｂの先端側部分に第２突出部（図示せず）を設けることもできる。前記スライダー１６１の回転に伴い、押圧部３６を前記第２コンタクト１４２の第２押受部２０ｂに作用させるとき、前記スライダー１６１の回転に対する反発力が強い為に、スライダー１６１の中央部が図６（Ｂ）の矢印「ハ」方向に膨れる傾向があるが、前記第２突出部を設けることにより、かかる傾向を防ぐようにすることができる。前記第２突出部の大きさは、このような役割を果たすことが出来れば如何なる大きさでもよく、スライダー１６１の押圧部３６が引っ掛かる程度に適宜設計する。
【産業上の利用可能性】
【００５３】
本発明によれば、各部位の強度や仕様等を損なうことなく、スライダーの回転に伴い、スライダーでＦＰＣ又はＦＦＣに確実に第１コンタクトの第１接触部を押圧接触させて安定した電気接続を得ることができ、作業性がよく、ピッチの狭小化や低背位化が可能なコネクタを提供することが可能になった。
【符号の説明】
【００５４】
１０、６０  コネクタ
１２、１２１、６２  ハウジング
１４  第１コンタクト
１４２ 第２コンタクト
１６、１６１、６６  スライダー
１８  嵌合口
２０ａ、２０ｂ 第１及び第２押受部
２２ａ〜２２ｄ 第１〜第４接触部
２２ｅ 第１延設部
２４ａ、２４ｂ 第１及び第２接続部
２６  第１又は第２突出部
２８  軸
３０  係止孔
３４ａ、３４ｂ 第１及び第２弾性部
３６、６８  押圧部
３８  挿入溝
４０  ＦＰＣ
４２、４２ａ  固定部
４４  第２延設部
７０  受け部
７２  スリット
７４  装着部
７６  固定具
【図１】
0005946577.tif 000002
【図２】
0005946577.tif 000003
【図３】
0005946577.tif 000004
【図４】
0005946577.tif 000005
【図５】
0005946577.tif 000006
【図６】
0005946577.tif 000007
【図７】
0005946577.tif 000008
【図８】
0005946577.tif 000009